(57)【特許請求の範囲】
【請求項１】
フレームと、網と、前記フレームに接続された懸吊手段とによって構成され、
前記網は、前記フレームの内側に張られた中央部と、前記フレームから下方へ垂れ下がるように取り付けられた外周ガード部とによって構成されていることを特徴とするウニ採集用籠。
【請求項２】
前記外周ガード部の下縁側に、錘が取り付けられていることを特徴とする、請求項１に記載のウニ採集用籠。
【請求項３】
前記フレームから中心に向かって所定幅で延在する返し部が取り付けられていることを特徴とする、請求項１又は請求項２に記載のウニ採集用籠。
【請求項４】
前記中央部と前記外周ガード部とが、個別の材料によって構成され、
前記中央部が、袋状の網材の周縁を前記フレームに取り付けることによって形成され、
前記外周ガード部が、帯状の網材の一方の長手側縁、又は、筒状の網材の一方の周縁を前記フレームに取り付けることによって形成されていることを特徴とする、請求項１〜３のいずれかに記載のウニ採集用籠。
【発明の詳細な説明】
【技術分野】
【０００１】
本発明は、海底に棲息するウニを採集する漁具として使用されるウニ採集用籠、及び、ウニの食害による磯焼け現象の対策として、対象海域からウニを駆除するために使用されるウニ採集用籠に関する。
【背景技術】
【０００２】
ウニを採集するための漁具として、図３に示すようなウニ採集用籠５１が知られている。このウニ採集用籠５１は、リング状の金属製フレーム５２の内側に、比較的緩やかに網５３が張られ、フレーム５２に結び付けたロープ５４により船上から海底へ吊り降ろし、引き上げることができるように構成されている。
【０００３】
このウニ採集用籠５１の使用方法について簡単に説明すると、まず、ウニの餌料となるワカメやカジメなどの海藻類（或いは魚肉、又は、それらの加工物）を網５３の中央に載置し、ウニが棲息する海底へ吊り降ろして着底させる。数時間後、周辺に棲息しているウニが餌料に誘引されて網５３の上へ集まってきたところで引き上げて、網５３の上のウニを捕獲する。
【発明の概要】
【発明が解決しようとする課題】
【０００４】
図３のウニ採集用籠５１を用いてウニを採集しようとする場合、海底面が平坦である場合には問題はないが、凹凸がある場合には、図４に示すように、フレーム５２と海底面５５との間に隙間ができてしまうことになる。この隙間の大きさがウニの体高よりも大きいと、餌料５６に誘引されたウニ５７が網５３の下側へ進入してしまうことになり、これでは捕獲することができないという問題がある。
【０００５】
本発明は、上記のような問題を解決すべくなされたものであって、海底面に凹凸がある海域で使用する場合であっても、ウニが網の下側へ進入することを好適に防止でき、捕獲率を飛躍的に向上させることができるウニ採集用籠を提供することを目的とする。
【課題を解決するための手段】
【０００６】
本発明に係るウニ採集用籠は、フレームと、網と、フレームに接続された懸吊手段（ロープ、ワイヤー、鎖など）とによって構成され、網は、フレームの内側に張られた中央部と、フレームから下方へ垂れ下がるように取り付けられた外周ガード部とによって構成されていることを特徴としている。尚、外周ガード部の下縁側（下縁、または、外周ガード部の下方側）には、錘が取り付けられていることが好ましい。
【０００７】
また、フレームから中心に向かって所定幅で環状に延在する返し部を取り付けることが好ましく、更に、中央部と外周ガード部とが、個別の材料によって構成され、袋状の網材の外周縁をフレームに取り付けることによって中央部を形成し、帯状の網材の一方の長手側縁、又は、筒状の網材の一方の周縁をフレームに取り付けることによって外周ガード部を形成することが好ましい。
【発明の効果】
【０００８】
本発明に係るウニ採集用籠は、フレームと海底面との間に隙間ができてしまった場合でも、フレームの周囲において、外周ガード部の下縁（又は下縁側の部分）がほぼ全周的に海底面に沿った状態となり、フレームと海底面との間の隙間が外周ガード部によって塞がれて、ウニがフレーム及び網の下側へ進入することを好適に防止でき、その結果、ウニの捕獲率を飛躍的に向上させることができる。
【０００９】
また、フレームに返し部を取り付けた場合には、一旦侵入したウニが脱出することを好適に防止することができ、捕獲効率を更に向上させることができ、また、中央部と外周ガード部とを、個別の材料によって構成した場合には、外周ガード部の下縁が、フレームの直径よりもすぼまった状態となってしまうという問題を好適に回避することができる。
【図面の簡単な説明】
【００１０】
【図１】図１は、第１の実施形態におけるウニ採集用籠１の斜視図である。
【図２】図２は、図１のウニ採集用籠１の使用状態の説明図である。
【図３】図３は、第２の実施形態におけるウニ採集用籠１の斜視図である。
【図４】図４は、従来のウニ採集用籠５１の斜視図である。
【図５】図５は、図４のウニ採集用籠５１の使用状態の説明図である。
【発明を実施するための形態】
【００１１】
以下、添付図面に沿って本発明「ウニ採集用籠」の実施形態について説明する。図１は、第１の実施形態におけるウニ採集用籠１の斜視図である。このウニ採集用籠１は、基本的には、リング状の金属製フレーム２と、網３と、ロープ４（懸吊手段）とによって構成され、フレーム２に接続されているロープ４により船上から海底へ吊り降ろし、引き上げることができるように構成されている。
【００１２】
網３は、リング状の金属製フレーム２の内側に比較的緩やかに張られた中央部３ａと、フレーム２から下方へ垂れ下がるように取り付けられた外周ガード部３ｂとによって構成され、また、外周ガード部３ｂの下縁３ｃには、金属製の錘８が取り付けられている。これらの錘８は、外周ガード部３ｂの下縁３ｃにおいて、所定間隔（捕獲しようとするウニ７の横幅寸法よりも小さい寸法間隔、例えば、１０ｃｍ以下の間隔）を置いて、下縁３ｃの全周にわたって、重量バランスがほぼ均等になるように配置されている。
【００１３】
このウニ採集用籠１の使用方法について簡単に説明すると、まず、ウニの餌料となるワカメやカジメなどの海藻類（或いは魚肉、又は、それらの加工物）を網３の中央に載置し、ウニが棲息する海底へ吊り降ろして着底させる。数時間後、周辺に棲息しているウニが餌料に誘引されて網３の中央部３ａの上（フレーム２の内側）へ集まってきたところで引き上げて、網３の上のウニを捕獲する。
【００１４】
尚、上述の通り、従来のウニ採集用籠５１（図３、図４参照）においては、海底面に凹凸がある海域で使用する場合に、フレーム５２と海底面５５との間に隙間ができ、ウニ５７がその隙間から網５３の下側へ進入してしまうことがあり、この場合、ウニ５７を捕獲することができないという問題があったが、本実施形態のウニ採集用籠１は、図２に示すように、フレーム２と海底面５との間に隙間ができてしまった場合でも、フレーム２の周囲において、外周ガード部３ｂの下縁３ｃが、錘８の作用によりほぼ全周的に海底面に沿った状態となり、フレーム２と海底面５との間の隙間が外周ガード部３ｂによって塞がれて、ウニ７がフレーム２及び網３の下側へ進入することを好適に防止できるようになっている。
【００１５】
尚、本実施形態においては、フレーム２から網３（外周ガード部３ｂ）の下縁３ｃまでの寸法は１３ｃｍに設定されているが、必ずしもこの寸法には限定されず、使用する海域の海底の状況に応じて、適宜調節して用いることができる。また、フレーム２の形状も限定されず、楕円形、矩形、五角形、或いは、その他の異形でもよく、また、「コ」の字型でもよい。
【００１６】
更に、錘８としては、図１に示すような球形のもの、及び、金属製のものには限定されず、ある程度の重量があり、海底に凹凸がある場合であっても、外周ガード部３ｂの下縁３ｃをほぼ全周的に海底面に沿わせ、外周ガード部３ｂによって、フレーム２及び網３の下側へのウニ７の進入を防止できるような状態を実現できるものであれば、どのような形状のものでも、また、どのような材質のものでもよく、例えば、金属製の鎖を環状に連結したものを下縁３ｃの全周に取り付けるようにしてもよい。
【００１７】
また、外周ガード部３ｂの全体、或いは、下半側の部分を、海水よりも比重の大きい材料によって構成した場合には、錘８を省略することができる。
【００１８】
尚、本実施形態においては、網３を構成する中央部３ａと外周ガード部３ｂとが、個別の材料（袋状の網材と帯状の網材）によって形成されている。仮に、中央部３ａと外周ガード部３ｂとが連続した材料（一つの袋状の網材）を用いてフレーム２に装着した場合、フレーム２の直径に対し、網３のサイズが小さすぎると、外周ガード部３ｂの下縁３ｃが、フレーム２の直径よりもすぼまった状態となってしまうことがある。この場合、ウニ採集用籠１を海底に設置する際、外周ガード部３ｂが、フレーム２の下側（内側）に隠れてしまい、ウニの侵入を防ぐという外周ガード部３ｂの機能が損なわれてしまう可能性がある。
【００１９】
そこで上述の通り、本実施形態においては、中央部３ａと外周ガード部３ｂとが、個別の材料によって形成されており、袋状の網材の周縁をフレーム２に取り付けることによって中央部３ａを構成するとともに、フレーム２の外周寸法と同一の長さの（或いは、それよりも長い寸法の）帯状の網材の一方の長手側縁、又は、フレーム２の外周と等しい直径の（或いは、それよりも大きい）筒状の網材の一方の周縁を、寸法が大きくならないようにフレーム２に取り付けることによって外周ガード部３を構成するようになっている。これにより、外周ガード部３ｂの下縁３ｃが、フレーム２の直径よりもすぼまった状態となってしまうという問題を回避することができる。
【００２０】
また、図１においては、外周ガード部３ｂを構成する網材として、網糸が斜め方向に交差する向きで帯状或いは筒状に形成したもの（ダイヤ型の網材）が用いられているが、フレーム２に取り付けた際、垂直方向の網糸と、水平方向の網糸が直交する向きとなるように帯状或いは筒状に形成したもの（格子型の網材）を用いることもできる。この場合、外周ガード部３ｂの下縁３ｃが、フレーム２の直径よりもすぼまった状態となってしまうという問題を、より効果的に回避することができる。
【００２１】
次に、本発明に係るウニ採集用籠１の第２の実施形態について説明する。図３は、第２の実施形態におけるウニ採集用籠１の斜視図である。このウニ採集用籠１は、第１の実施形態として説明したウニ採集用籠１のフレーム２に、フレーム２から中心に向かって所定幅で環状に延在するフラップ（返し部９）を取り付けたことを特徴としている。この返し部９は、基本形状が円盤状で、中央に大きな孔が形成されており、外径がフレーム２の外径とほぼ等しい寸法に設定されている。
【００２２】
この返し部９を装着した場合、ウニが孔から網３の中央部３ａの中に一旦侵入すると、返し部９がオーバーハングとなって、外側へ脱出することができなくなり、ウニの捕獲効率を向上させることができる。
【００２３】
尚、本実施形態においては、返し部９は、プラスチック製の材料によって形成されているが、材質は限定されず、網材（或いは他の材料）によって形成することもできる。例えば、中央に大きな孔を有する円形の網の外周縁を全周的にフレーム２に固定し、孔の内周縁にリング状フレーム材（金属製、或いは、プラスチック製）を取り付けることにより、図３に示した返し部９と同様の効果を期待できるように構成しても良い。
【００２４】
また、図３に示した返し部９は水平方向に延在している（外周側と内周側が同じ高さ位置となっている）が、内周側が外周側よりも高くなるように傾斜をつけて、逆漏斗状となるように構成しても良い。この場合、返し部９と網３の中央部３ａとの間の空間を大きくすることができ、網３の中央部３ａの中に一旦侵入したウニが外側へ脱出することを、より効果的に防止することができる。
【実施例１】
【００２５】
ここで、第１の実施形態として説明したウニ採集用籠１の性能について、本発明の発明者らが行った試験の結果を、本発明の実施例１として説明する。まず、図１に示したウニ採集用籠１について、三種類（本発明Ａ〜Ｃ）をそれぞれ８個ずつ用意するとともに、比較例として、図４に示した従来のウニ採集用籠５１を８個用意し、それらを実験海域（岩手県大船渡市野野前漁港内）に設置して、ウニ（キタムラサキウニ）の捕獲量を計測した。
【００２６】
尚、本発明Ａにおいては、外周ガード部３ｂとして、網目がダイヤ型の網材を使用し、本発明Ｂ及びＣにおいては、外周ガード部３ｂとして、網目が格子型の網材を使用した。また、本発明Ａ及びＢにおいては、外周ガード部３ｂの高さ寸法（フレーム２から下縁３ｃまでの寸法）を１０ｃｍに設定し、本発明Ｃにおいては、外周ガード部３ｂの高さ寸法を３０ｃｍに設定した。また、本発明Ａ〜Ｃのいずれにおいても、外周ガード部３ｂの錘８として、金属製の鎖を環状に連結したものを下縁３ｃの全周に取り付けた。
【００２７】
実験海域における設置条件は、次の通りとした。まず、実験海域に測線を設定し、この測線に沿って、比較例、本発明Ａ、本発明Ｂ、本発明Ｃ、比較例、本発明Ａ、本発明Ｂ、本発明Ｃの順番で、ウニ採集用籠を５ｍ間隔で設置した。測線は、実験海域内に平行して４本（測線１〜４）設定し、各測線について同様にウニ採集用籠１，５１（合計３２個）をそれぞれ設置した。設置は、実施日の午後３時に行い、翌日の午前９時に回収した。その結果を表１に示す。
【００２８】
【表１】
0005563330.tif 000002
【００２９】
上記結果の通り、ウニの捕獲数は測線毎にばらつきがあるが、籠１個あたりの捕獲数は、比較例（従来のウニ採集用籠）では０〜２個（平均０．５個）であったのに対し、本発明Ａでは０〜５個（平均２．２５個）、本発明Ｂでは０〜５個（平均１．７５個）、本発明Ｃでは０〜３個（平均１．６２５個）となり、いずれも比較例の３倍以上の捕獲数となった。この結果から、本発明のウニ採集用籠は、従来のウニ採集用籠に比べて、効果的にウニを捕獲できることが実証された。
【実施例２】
【００３０】
次に、福島県勿来漁港において行った試験の結果を、本発明の実施例２として説明する。本実施例においては、実施例１の本発明Ａ、及び、比較例をそれぞれ８個ずつ用意し、これらを実験海域に設置して、ウニ（キタムラサキウニ）の捕獲量を計測した。尚、実験海域における設置条件は、次の通りとした。まず、実験海域に測線を設定し、この測線に沿って、比較例、本発明Ａ、比較例、本発明Ａの順番で、ウニ採集用籠を５ｍ間隔で設置した。測線は、実験海域内に平行して４本（測線１〜４）設定し、各測線について同様にウニ採集用籠１，５１（合計１６個）をそれぞれ設置した。その結果を表２に示す。
【００３１】
【表２】
0005563330.tif 000003
【００３２】
上記結果の通り、ウニの捕獲数は測線毎にばらつきがあるが、籠１個あたりの捕獲数は、比較例（従来のウニ採集用籠）では０〜８個（平均２．６個）であったのに対し、本発明Ａでは１〜１２個（平均５．６個）となり、比較例の２倍以上の捕獲数となった。この結果からも、本発明のウニ採集用籠は、従来のウニ採集用籠に比べて、効果的にウニを捕獲できることが実証された。
【符号の説明】
【００３３】
１，５１：ウニ採集用籠、
２，５２：フレーム、
３，５３：網、
３ａ：中央部、
３ｂ：外周ガード部、
３ｃ：下縁、
４，５４：ロープ、
５，５５：海底面、
６，５６：餌料、
７，５７：ウニ、
８：錘、
９：返し部
【図１】
0005563330.tif 000004
【図２】
0005563330.tif 000005
【図３】
0005563330.tif 000006
【図４】
0005563330.tif 000007
【図５】
0005563330.tif 000008